(57)【要約】      （修正有）【課題】空回りするビスの取り外し時に使用する補助具を備えたカッターナイフを提供する。【解決手段】カッターナイフを、カッター刃を収納するブレードトレイ４０と、カッター刃を保持してブレードトレイの一端からスライド移動させて刃先を露出させるスライダ２０と、ブレードトレイ及びスライダとを収納する本体ケース１０と、板状のビス空転防止補助片５０とを備える構成とし、ビス空転防止補助片は、ビスの軸部と係合し、ビスの緩め時にビスの頭部下側からビスに対してビスの引き抜き方向に加力するための凹部５２が形成されている構造とする。【選択図】図１
0003223076.tif 000002
【実用新案登録請求の範囲】
【請求項１】
カッター刃を収納するブレードトレイと、
前記カッター刃を保持して前記ブレードトレイの一端からスライド移動させて刃先を露出させるスライダと、
前記ブレードトレイ及び前記スライダとを収納する本体ケースと、
板状のビス空転防止補助片とを
備えるカッターナイフであって、
前記ビス空転防止補助片は、ビスの頭部座面と係合し、ビスの緩め時にビスの頭部下側からビスに対してビスの引き抜き方向に加力するための凹部が形成されていることを特徴とするカッターナイフ。
【請求項２】
前記凹部は内方に向かって開口間隔が連続的に減少することを特徴とする請求項１に記載のカッターナイフ。
【請求項３】
前記ビス空転防止補助片が前記本体ケースの後端に設けられたことを特徴する請求項１又は２に記載のカッターナイフ。
【請求項４】
前記ビス空転防止補助片が前記ブレードトレイの先端部に設けられたことを特徴とする請求項１又は２に記載のカッターナイフ。
【考案の詳細な説明】
【技術分野】
【０００１】
本考案は、空回りするビスの取り外し時に使用する補助具付のカッターナイフに関するものである。
【背景技術】
【０００２】
近年、建築現場においては、下地用の石膏ボードの取り付けはビス打機械でのビス止めが主流になっている。そして、この作業時には下地のない箇所へのビスの打ち損じが生じる。当然に打ち損じのビスを取り除く必要があるが、下地がないため、電動ドライバーの逆転では、ビスは空回りしてしまい抜くことができない。
【０００３】
そこで、ビスを引き抜くための先端に切り込みの入ったステンレス製の専用ヘラが特開２００２−１６０１７９号広報（以下「特許文献１」という。）に開示されている。
【先行技術文献】
【特許文献】
【０００４】
【特許文献１】特開２００２−１６０１７９号公報
【考案の概要】
【考案が解決しようとする課題】
【０００５】
しかしながら、特許文献１に開示されている考案は、空回りするビスを抜く時だけに用いる専用のヘラであるため、作業員の携帯する道具が増えるという欠点があった。
【０００６】
そこで本考案は上記の問題点を解決することを課題としており、空回りするビスの取り外し時に使用する補助具を備えたカッターナイフを提供することを目的としている。
【課題を解決するための手段】
【０００７】
上記目的を達成するために本考案は、カッターナイフに凹部が形成されたビス空転防止補助片を備えたことを主な特徴とする。
【０００８】
すなわち、第１の本考案のカッターナイフは、カッター刃を収納するブレードトレイと、カッター刃を保持してブレードトレイの一端からスライド移動させて刃先を露出させるスライダと、ブレードトレイ及びスライダとを収納する本体ケースと、板状のビス空転防止補助片とを備えるカッターナイフであって、ビス空転防止補助片は、ビスの頭部座面と係合し、ビスの緩め時にビスの頭部下側からビスに対してビスの引き抜き方向に加力するための凹部が形成されていることを特徴とする。
【０００９】
第１の本考案は、ビス空転防止補助片の凹部が、ビスの頭部座面と係合し、ビスの緩め時にビスの頭部下側からビスに対してビスの引き抜き方向に加力することで、電動ドライバーを逆転させるときにビスが空回りすることがない。
ビス空転防止補助片は、板状の形状を有するため、従来品同様にステープル外し、梱包物の開梱作業、缶の蓋あけにも用いることができる。
【００１０】
さらに、第２の本考案のカッターナイフは、第１の本考案のカッターナイフにおいて、凹部が内方に向かって開口間隔が連続的に減少することを特徴とする。
【００１１】
凹部が内方に向かって開口間隔が連続的に減少する構造により、胴部の細いビスから太いビスまで、対応することができる。
【００１２】
さらに第３の本考案のカッターナイフは、第１又は第２の本考案において、ビス空転防止補助片が本体ケースの後端に設けられたことを特徴する。
【００１３】
ビス空転防止補助片が本体ケースの後端に設けられていることで、カッターナイフとして使用するときには支障せず、ビスの取り外し時には本体ケースをハンドル部として手で握ることができるからである。
【００１４】
さらに、第４の本考案のカッターナイフは、第１又は第２の本考案において、ビス空転防止補助片がブレードトレイの先端部に設けられたことを特徴とする。
【００１５】
ビス空転防止補助片がブレードトレイの先端部に設けられていることで、通常のカッターナイフと同じ握り方で手に持ってビスを取り外すことができる。
【考案の効果】
【００１６】
本考案のカッターナイフは、ビス空転防止補助片を備えているので、別途専用のビス空転防止用のヘラを携行する必要がない。
【図面の簡単な説明】
【００１７】
【図１】本考案の第１実施例の正面とA-A’部分の底面を示す図である。
【図２】本考案の第２実施例の正面とA-A’部分の底面を示す図である。
【図３】本考案の第３実施例の正面とA-A’部分の底面を示す図である。
【図４】本考案の第４実施例の正面を示す図である。
【図５】本考案のカッターナイフの使用状態を示す図である。
【考案を実施するための形態】
【００１８】
本考案は、空回りするビスの取り外し時に使用する補助具を備えたカッターナイフを提供するという目的を、凹部が形成されたビス空転防止補助片をカッターナイフに備えることで実現した。以下に本考案の好ましい実施の形態について図を用いて説明する。
【実施例】
【００１９】
（実施例１）
図１は、本考案の第１実施例（実施例1）を示す正面と図中のA-A’部分の底面を示す図である。
図１に示すように本体ケース１０の後端部にヘラ状の凹部５２を有するビス空転防止補助片５０が設けられている。
凹部５２はビス空転防止補助片５０の外方から内方に向かって開口間隔が連続的に減少するような曲線を描いている。
使用に当たっては、この凹部５２を対象とするビスの頭部座面の下側から当てがい、凹部５２により、ビスに対して取り外し方向に力を加えることができる。この作用により電動ドライバー等を用いて下地のない箇所でもビスを空転させずに取り外すことが可能となる。
【００２０】
図１のA-A’部分の底面を示す図では、ビス空転防止補助片５０は、本体ケース１０の後端部の裏面寄の箇所から本体ケース１０の長手方向と並行するように設けられている。
本体ケース１０の後端部の中央にビス空転防止補助片５０が設けられた場合は、本体ケース１０の厚みの影響で、うまく凹部５２をビスの頭部座面に押圧することができないからである。
【００２１】
（実施例２）  
図２は、本考案の第２実施例（実施例２）を示す正面と図中のA-A’部分の底面を示す図である。
図２に示すように本体ケース１０の後端部にヘラ状の凹部５２を有するビス空転防止補助片５０が設けられている。
凹部５２はビス空転防止補助片５０の外方から内方に向かって開口間隔が連続的に減少するように直線でV字を描いている。
【００２２】
図２のA-A’部分の底面を示す図では、実施例１と異なり、本体ケース１０の後端部は、裏面から正面に向かってテーパー状に傾斜している。そしてビス空転防止補助片５０は、本体ケース１０の後端部の裏面寄の箇所から本体ケース１０の後端部のテーパー状の傾斜と同じ角度で、傾斜して設けられている。この形状により、使用に当たって、容易にビスの頭部座面を凹部５２で押圧することができる。
【００２３】
（実施例３）
図３は、本考案の第３実施例（実施例３）を示す正面と図中のA-A’部分の底面を示す図である。ビス空転防止補助片５０が階段状に折れ曲がっているところが第１実施例と異なる。この構造により、ビス空転防止補助片５０が本体ケース１０の後端部の厚さ方向の中央付近に設けられていても、使用に当たって、容易にビスの頭部座面を凹部５２で押圧することができる。
【００２４】
（実施例４）
図４は、本考案の第４実施例（実施例４）を示す正面図である。実施例１〜３とは異なり、ビス空転防止補助片５０がブレードトレイ４０の先端に設けられている。
ビス空転防止補助片５０が本体ケース１０の前部に位置するため、ビスを抜くときにカッターナイフ１を持ち変える必要がない。
【００２５】
図５は、本考案のカッターナイフの使用状態を示す図である。石膏ボード６０に埋め込まれたビス７０の頭部座面を下側からビス空転防止片５０で押圧しながら、電動ドリルをビス７０の工具穴に係合させて逆回転させている。こうすることで、ビス７０が空転することなく、石膏ボード６０から外れる。
【符号の説明】
【００２６】
１      カッターナイフ
１０    本体ケース
２０    スライダ
３０    カッター刃
４０    ブレードトレイ
５０    ビス空転防止補助片
５２    凹部
６０    石膏ボード
７０    ビス
８０    電動ドライバー
【図１】
0003223076.tif 000003
【図２】
0003223076.tif 000004
【図３】
0003223076.tif 000005
【図４】
0003223076.tif 000006
【図５】
0003223076.tif 000007